(57)【要約】      （修正有）【課題】除染に適した浚渫用台船を提供する。【解決手段】フロート集合体０１０１と、どろ取込口０１０２と、どろ取込口移動装置０１０３が一体となった浚渫用台船であり、どろ取込口０１０２を水中で静かに移動させることができる。【選択図】図１
0003196738.tif 000002
【実用新案登録請求の範囲】
【請求項１】
複数のフロートを組み合わせたフロート集合体と、
浚渫のためのどろ取込口と、
フロート集合体の移動なしにどろ取込口を移動させるどろ取込口移動装置と、
からなる浚渫用台船。
【請求項２】
フロート集合体は、略コの字状に組み合わされ、どろ取込口移動装置は、コの字の
三辺で囲まれた領域でどろ取込口を移動させる請求項１に記載の浚渫用台船。
【請求項３】
フロート集合体は、略口の字状に組み合わされ、どろ取込口移動装置は、口の字の四辺で囲まれた領域でどろ取込口を移動させる請求項１に記載の浚渫用台船。
【請求項４】
一のフロートは長方形である請求項１から３のいずれか一に記載の浚渫用台船。
【請求項５】
前記コの字状に組み合わされたフロート集合体のコの字の上辺と底辺に相当するフロートにはその囲まれた領域に沿って敷かれるレールを有し、
どろ取込口移動装置は、このレール上を移動するようにされた請求項２に記載の浚渫用台船。
【請求項６】
前記ロの字状に組み合わされたフロート集合体のロの字の上辺と底辺に相当するフロート又は左辺と右辺に相当するフロートにはその囲まれた領域に沿って敷かれるレールを有し、
どろ取込口移動装置は、このレール上を移動するようにされた請求項３に記載の浚渫用台船。
【請求項７】
池等岸に少なくとも一端を固定したロープを用いて池に浮かべた自身を移動させるためのロープ移動装置を有する請求項１から６のいずれか一に記載の浚渫用台船。
【考案の詳細な説明】
【技術分野】
【０００１】
本件考案は、池、湖、沼など（以下「池等」という。）の水底の泥土を浚渫する浚渫用台船に関する。
【背景技術】
【０００２】
２０１１年３月の福島第一原子力発電所の事故により拡散した放射性セシウムによる土壌汚染の対策が急がれている。とくに放射性セシウムを吸着した土壌が降雨などにより水域に流入し池等の閉鎖した水域の水底に集積し、放射性セシウムの高濃度化が生じている。そして、このような閉鎖性水域が農業用のため池である場合には耕作地を再汚染し、漁場である場合には水産物の汚染を招くこととなり早急な対策が求められている。
【０００３】
水底での泥土汚染は表層において汚染度が高く、深いところでの汚染度は低くなることがわかっている。したがって、水底表層の深さ数ｃｍから十数ｃｍ程度の泥土を浚渫機により浚い取ることで、相当量の汚染泥土を除去することができる。特許文献１には、従来の組立式作業用台船が、特許文献２には、従来型の浚渫機が開示されている。
【０００４】
特許文献１に開示されるような従来の組立式作業用台船は、単に浮体の集合体であって、浚渫用装置を備えたものではないことから、浚渫する場合には、別途浚渫機を用意する必要がある。また、特許文献２に開示されるような従来の浚渫機を用いる場合、水底が硬い場合や石などを多く含む場合であっても効率よく泥土の吸引できるようにするため、例えば、先端に刃を備える撹拌羽根を回転軸に設け、この撹拌羽根を回転させて水底を掻きまわして泥土の吸引を行っている。
【先行技術文献】
【特許文献】
【０００５】
【特許文献１】特願２０００−２２５９６３号
【特許文献２】特開２００８−３１７４５号公報
【考案の開示】
【考案が解決しようとする課題】
【０００６】
この点、水底の汚染泥土を回収する場合において最も注意を払うべきは、泥土を巻き上げて水中に拡散させてしまわないようにすることである。すなわち、水底において沈静化している放射性セシウムを水中に拡散させてしまうことのないように行わなければならない。しかしながら、上記特許文献１の発明は用途が限定されていない作業用の台船であり、仮にこれを用いて除染するとなると、台船上に別途浚渫装置を設置することになり、従来型の浚渫機によっては除染すべき池等の底の表面のみを静かにすくい取ることが困難であるという問題があった。
【課題を解決するための手段】
【０００７】
そこで、本願の考案者は、組立式の作業用台船と、除染に適した浚渫装置が一体化した浚渫用台船を考案した。本浚渫用台船は、後述するフロート集合体に動力を持たずに池等の水面に静かに静止し、後述するどろ取込口移動装置を用いて、除染に適したどろ取込口を静かに移動させることができるため、堆積したどろの表層を極力拡散させないで池等の底に沈殿した線量が多いどろ等の表層のみをしずかに取り込んで回収することが可能となった。
【０００８】
以上の課題を解決するため、第一の考案は、複数のフロートを組み合わせたフロート集合体と、浚渫のためのどろ取込口と、フロート集合体の移動なしにどろ取込口を移動させるどろ取込口移動装置と、からなる浚渫用台船を提供する。
【０００９】
第二の考案は、フロート集合体は、略コの字状に組み合わされ、どろ取込口移動装置は、コの字の三辺で囲まれた領域でどろ取込口を移動させる第一の考案に記載の浚渫用台船を提供する。
【００１０】
第三の考案は、フロート集合体は、略口の字状に組み合わされ、どろ取込口移動装置は、口の字の四辺で囲まれた領域でどろ取込口を移動させる第一の考案に記載の浚渫用台船を提供する。
【００１１】
第四の考案は、一のフロートは長方形である第一から第三の考案のいずれか一に記載の浚渫用台船を提供する。
【００１２】
第五の考案は、前記コの字状に組み合わされたフロート集合体のコの字の上辺と底辺に相当するフロートにはその囲まれた領域に沿って敷かれるレールを有し、どろ取込口移動装置は、このレール上を移動するようにされた第二の考案に記載の浚渫用台船を提供する。
【００１３】
第六の考案は、前記ロの字状に組み合わされたフロート集合体のロの字の上辺と底辺に相当するフロート又は左辺と右辺に相当するフロートにはその囲まれた領域に沿って敷かれるレールを有し、どろ取込口移動装置は、このレール上を移動するようにされた第三の考案に記載の浚渫用台船を提供する。
【００１４】
第七の考案は、池等岸に少なくとも一端を固定したロープを用いて池に浮かべた自身を移動させるためのロープ移動装置を有する第一から第六の考案のいずれか一に記載の浚渫用台船を提供する。
【考案の効果】
【００１５】
本考案によれば、池等の水底の泥土を巻き上げることなく表層の泥土を取り込むことができる浚渫用台船を提供することができる。
【図面の簡単な説明】
【００１６】
【図１】実施形態１の浚渫用台船の使用例の概念図
【図２】実施形態１の一のフロートの正面図
【図３】実施形態１のフロートのジョイントの正面図
【図４】実施形態１のどろ取込口の一例を示す斜視図
【図５】実施形態１のどろ取込口移動装置の概念図
【図６】実施形態２の浚渫用台船のフロート集合体の上面図
【図７】実施形態２の浚渫用台船のフロート集合体にレールを敷設した場合の上面図
【図８】実施形態３の浚渫用台船のフロート集合体の上面図
【図９】実施形態３の浚渫用台船のフロート集合体にレールを敷設した場合の上面図
【図１０】実施形態４の浚渫用台船の使用例の概念図
【図１１】実施形態４の浚渫用台船の使用例の概念図
【符号の説明】
【００１７】
０１０１  フロート集合体
０１０２  どろ取込口
０１０３  どろ取込口移動装置
１００４  ロープ
【考案を実施するための最良の形態】
【００１８】
以下に本件考案の実施形態を説明する。実施形態１は主に請求項１及び４について、実施形態２は主に請求項２及び５について、実施形態３は主に請求項３及び６について、実施形態４は主に請求項４について説明している。なお、本考案はこれらの実施形態に限定されるものではなく、その要旨を逸脱しない範囲において、種々なる態様で実施しうる。
≪実施形態１≫
【００１９】
＜概要＞
本実施形態の浚渫用台船は、組立式のフロート集合体と、除染等に適したどろ取込口を有し、水中を必要以上にかき回すことなくどろ取込口を移動させることができるどろ取込口移動装置を有する。
【００２０】
＜構成＞
図１は、本実施形態の浚渫用台船は、フロート集合体と、どろ取込口と、どろ取込口移動装置とからなる。以下、各部の構成について図１を用いて説明する。
【００２１】
（フロート集合体）
「フロート集合体」（０１０１）は、複数のフロートを組み合わせたものであり、池等の水面で浮力にて浮き、静止するものである。図２は、一のフロートの正面図である。図３は、一のジョイントの正面図である。ジョイントを用いて、複数のフロートを結合し、略コの字状（図６参照）や、略口の字状（図８参照）等の適切な形状のフロート集合体とすることが可能である。フロートは、池等の真水、場合によっては海水に長時間浸かっても、壊れたりもろくなったりといった変質しないものであることが好ましい。また、場合によっては、氷点下になったり、水温が上昇した場合でも、割れたり極度に膨張したりしないものであることが好ましい。さらに、喫水調整のために砂利等のバラストを入れたり、上に重量のある後述するどろ取込口を有するどろ取込口移動装置などの浚渫用装置を載せても急激に沈んだりしないような、浮力調整を行いやすい素材であることが好ましい。
【００２２】
一のフロートは、大きさや形状は問わないが、山奥の池等での除染作業に適するように、運搬や組立が容易な大きさ・形状であることが好ましい。また、一のフロートは長方形であってもよい。具体的には、例えば、横１．５メートル、縦３メートル程度のものが好ましい。
【００２３】
（どろ取込口）
「どろ取込口」（０１０２）は、浚渫のため、水底の泥土を浚い取るよう構成される。図４は、どろ取込口の一例を示す斜視図である。図示するように、「どろ取込口」（０４０１）は、上面（０４０２）が下面（０４０３）に対して相対的に進行方向（図中の矢印）に出っ張っており、その上面と下面とに挟まれて取込開口（０４０４）が備わる。このように構成することで、上面による泥土の巻き上げ防止効果を得るとともに、開口の面積を広くし、開口を水底側に向けることができ、取込効率を向上させることができる。また、上面に設けられる移動用シャフト連結部材（０４０５）は、どろ取込口を移動させるための後述するどろ取込口移動装置を連結するための部材である。また、どろ取込口の後方に備わる吸込管（０４０６）は、さらにホースなどと連結され取込開口から取り込まれた泥土を吸い込むための吸込管である。そして、取込開口には柵（０４０７）が備わり、吸込管の詰まりの原因となり得る枝などの進入を妨げる。柵により区分けされた開口幅は、水底に堆積する木枝の大きさを鑑みると略１０ｃｍ以下であることが好ましい。
【００２４】
（どろ取込口移動装置）
「どろ取込口移動装置」（０１０３）は、フロート集合体の移動なしにどろ取込口を移動させるよう構成させる。図５はどろ取込口移動装置の一例を示す概念図である。どろ取込口（０５０２）を移動させることができればどろ取込口移動装置（０５０３）はどのような形状・構成であっても構わないが、水中を必要以上にかき回して取り除くべき水底に堆積したどろの表層部分をまき散らさないものであることが好ましい。このような点から、どろ取込口を強固に固定し、かつフロート集合体上をスムーズに移動できるものであることが好ましい。このようなものとして、車輪によってフロート集合体上を静かに移動できるものが好ましい。
【００２５】
＜効果＞
本実施形態に示す構成の浚渫用台船を用いることにより、必要以上に水中をかき回すことなく、線量が高い水底に堆積した泥の表層のみを静かにすくい取ることが可能となる。
【００２６】
≪実施形態２≫
【００２７】
＜概要＞
本実施形態の浚渫用台船は、フロート集合体が略コの字状に組み合わされ、どろ取込口移動装置は、コの字の三辺で囲まれた領域でどろ取込口を移動させる特徴を有する。
【００２８】
＜構成＞
本実施形態の浚渫用台船は、フロート集合体が略コの字状に組み合わされ、どろ取込口移動装置は、コの字の三辺で囲まれた領域でどろ取込口を移動させる。
【００２９】
図６は本実施形態のフロート集合体の上面図である。この場合には、コの字で囲われた部分の池等の水中に堆積したどろの浚渫をする。
【００３０】
本実施形態のフロート集合体上でどろ取込口移動装置を移動させる方法としては、どろ取込口の大きさや、フロート集合体の組み立て形状により自由に設計しうる。例えば、フロート集合体の内周に沿うように、どろ取込口を移動させ、堆積したどろを取り込む場合や、フロート集合体で囲まれた部分を上下に移動させる方法がありうる。
【００３１】
図７は本実施形態のフロート集合体にレール（０７０４）を敷設した場合の上面図であり、どろ取込口移動装置の下部に車輪を設けた場合に、このレール上を走行することにより、スムーズどろ取込口を移動させて池等の水中に堆積したどろをすくい取ることができる。
【００３２】
＜効果＞
本実施形態に示す構成の浚渫用台船を用いることにより、必要以上に水中をかき回すことなく、線量が高い水底に堆積した泥土の表層のみを静かにすくい取ることが可能となる。
【００３３】
≪実施形態３≫
【００３４】
＜概要＞
本実施形態の浚渫用台船は、フロート集合体が略口の字状に組み合わされ、どろ取込口移動装置は、口の字の四辺で囲まれた領域でどろ取込口を移動させる特徴を有する。
【００３５】
＜構成＞
本実施形態の浚渫用台船は、フロート集合体が略口の字状に組み合わされ、どろ取込口移動装置は、口の字の四辺で囲まれた領域でどろ取込口を移動させる。
【００３６】
図８は本実施形態のフロート集合体の上面図である。この場合には、口の字で囲われた部分の池等の水中に堆積したどろの浚渫をする。
【００３７】
本実施形態のフロート集合体上でどろ取込口移動装置を移動させる方法としては、どろ取込口の大きさや、フロート集合体の組み立て形状により自由に設計しうる。例えば、フロート集合体の内周に沿うように、どろ取込口を移動させ、堆積したどろを取り込む場合や、フロート集合体で囲まれた部分を上下に移動させる方法がありうる。
【００３８】
図９は本実施形態のフロート集合体にレール（０９０４）を敷設した場合の上面図であり、どろ取込口移動装置の下部に車輪を設けた場合に、このレール上を走行することにより、スムーズどろ取込口を移動させて池等の水中に堆積したどろをすくい取ることができる。
【００３９】
＜効果＞
本実施形態に示す構成の浚渫用台船を用いることにより、必要以上に水中をかき回すことなく、線量が高い水底に堆積した泥の表層のみを静かにすくい取ることが可能となる。
【００４０】
≪実施形態４≫
【００４１】
＜概要及び構成＞
本実施形態の浚渫用台船は、前述した実施形態１から３に加え、池等岸に少なくとも一端を固定したロープを用いて池に浮かべた自身を移動させるためのロープ移動装置を有する。これにより、水中でスクリューを使わずに浚渫用台船を移動させることができるため、池等の水中をかき回すことなく、静かに移動させることが可能となる。
【００４２】
図１０は、本実施形態の浚渫用台船の概念図である。図示されているように、池等岸に少なくとも一端を固定したロープ（１００４）を用いて池に浮かべた自身を移動させることができる。具体的には、例えば、浚渫用台船上にウィンチ（１００５）を設け、これにロープを巻き付けて、浚渫用台船を動かしたい部分の前後の池等の岸に支柱を立ててロープを固定し、浚渫用台船上に設けたウィンチを操作して浚渫用台船を移動させることが可能となる。図１１は、ウィンチ（１１０５）を２つ用いる場合である。この場合、１つのウィンチはロープ（１１０４）を巻き上げ、もう１つのウィンチでロープを放つことになる。なお、このウィンチを台船の四隅に設置し、それぞれ池の四方にて固定されているロープの端部を把持するようにすると、各ウィンチの巻き分量、放ち分量によって池の中を自由に移動し、台船を所望の位置に配置することが可能となる。またこの際ウィンチはその巻き取りシリンダーが自由に向きを変更できるようであるとなお好ましい。
【００４３】
＜効果＞
本実施形態に示す構成の浚渫用台船を用いることにより、静かに浚渫用台船を池等の水面上を移動させることができ、線量が高い水底に堆積した泥の表層をまき散らすことを防止することが可能となる。
【図１】
0003196738.tif 000003
【図２】
0003196738.tif 000004
【図３】
0003196738.tif 000005
【図４】
0003196738.tif 000006
【図５】
0003196738.tif 000007
【図６】
0003196738.tif 000008
【図７】
0003196738.tif 000009
【図８】
0003196738.tif 000010
【図９】
0003196738.tif 000011
【図１０】
0003196738.tif 000012
【図１１】
0003196738.tif 000013